(57)【特許請求の範囲】
【請求項１】
複数のサブフレームで構成されるフレームを用いてマルチキャリア伝送方式で無線通信を行なう端末装置に適用される無線通信装置であって、
受信した前記フレームを構成し各サブキャリアの変調パラメータを受信側へ通知するための変調情報サブフレームから、前記変調パラメータを抽出する抽出部と、
前記抽出された変調パラメータを記憶する記憶部と、
複数の変調パラメータ、および前記各変調パラメータに対して付された順位から構成されるテーブルと、
前記フレームの送信元に対してフレームを送信する場合、前記記憶されている変調パラメータ、または前記テーブルから抽出した変調パラメータのいずれか一方を使用して、送信データの符号化または各サブキャリアの変調の少なくとも一方を行う変調制御部と、を備え、
前記フレームの送信元に対して前記変調情報サブフレームを含まないフレームを送信することを特徴とする無線通信装置。
【請求項２】
前記変調制御部は、前記フレームの送信元に対してフレームを送信する場合、前記テーブルを検索して前記記憶部に記憶されている変調パラメータの順位を特定し、前記記憶部に記憶されている変調パラメータよりもＮ（Ｎは自然数）以上順位が異なる変調パラメータを前記テーブルから抽出し、前記抽出した変調パラメータを使用して、送信データの符号化または各サブキャリアの変調の少なくとも一方を行なうことを特徴とする請求項１記載の無線通信装置。
【請求項３】
前記変調制御部は、前記記憶部に記憶されている変調パラメータよりもＮ（Ｎは自然数）以上順位が異なる変調パラメータが前記テーブルに存在しない場合は、当該サブキャリアをキャリアホールとする変調パラメータを使用することを特徴とする請求項２記載の無線通信装置。
【請求項４】
前記変調制御部は、前記記憶部に記憶されている変調パラメータが当該サブキャリアをキャリアホールとするものではなく、かつ前記記憶部に記憶されている変調パラメータよりもＮ（Ｎは自然数）以上順位が異なる変調パラメータが前記テーブルに存在しない場合は、前記テーブルから最低または最高順位の変調パラメータを抽出して使用する一方、前記記憶部に記憶されている変調パラメータが当該サブキャリアをキャリアホールとするものである場合は、前記記憶部に記憶されている変調パラメータを使用することを特徴とする請求項２記載の無線通信装置。
【請求項５】
伝搬路状態の変動の速さを検出する検出部をさらに備え、
前記変調制御部は、前記検出された速さが大きい場合は、前記Ｎ（Ｎは自然数）を大きくする一方、前記検出された速さが小さい場合は、前記Ｎ（Ｎは自然数）を小さくすることを特徴とする請求項２から請求項４のいずれかに記載の無線通信装置。
【請求項６】
前記変調制御部は、前記フレームの送信元に対してフレームを送信する場合、前記テーブルから単一の変調パラメータを抽出して使用すると共に、前記テーブルを検索して前記記憶部に記憶されている変調パラメータの順位を特定し、前記記憶部に記憶されている変調パラメータの順位が前記抽出した単一の変調パラメータよりも送信先で受信され易いことを示すものである場合は、当該サブキャリアをキャリアホールとする変調パラメータを使用することを特徴とする請求項１記載の無線通信装置。
【請求項７】
前記変調制御部は、前記フレームの送信元に対してフレームを送信する場合、前記テーブルから単一の変調パラメータを抽出して使用すると共に、前記テーブルを検索して前記記憶部に記憶されている変調パラメータの順位を特定し、前記記憶部に記憶されている変調パラメータが当該サブキャリアをキャリアホールとするものではなく、かつ前記記憶部に記憶されている変調パラメータの順位が前記抽出した単一の変調パラメータよりも送信先で受信され易いことを示すものである場合は、当該サブキャリアについてのみ前記記憶部に記憶されている変調パラメータを抽出して使用し、前記記憶部に記憶されている変調パラメータが当該サブキャリアをキャリアホールとする場合は、前記記憶部に記憶されている変調パラメータを使用することを特徴とする請求項１記載の無線通信装置。
【請求項８】
前記変調制御部は、前記フレームの送信元に対してフレームを送信する場合、前記テーブルから最低または最高順位の変調パラメータを抽出して使用すると共に、前記記憶部に記憶されている変調パラメータが当該サブキャリアをキャリアホールとする場合は、前記記憶部に記憶されている変調パラメータを使用することを特徴とする請求項１記載の無線通信装置。
【請求項９】
前記変調制御部は、前記フレームの送信元に対してフレームを送信する場合、使用した変調パラメータの前記テーブルにおける順位を示す情報、前記記憶部に記憶されている変調パラメータの順位から移動した順位数Ｎ（Ｎは自然数）を示す情報、または使用した単一の変調パラメータを示す情報のいずれか一つを送信フレームに含めることを特徴とする請求項２から請求項８のいずれかに記載の無線通信装置。
【請求項１０】
複数のサブフレームで構成されるフレームを用いてマルチキャリア伝送方式で無線通信を行なう無線通信装置であって、
送信するフレームの各サブキャリアの変調パラメータを記憶する変調パラメータ記憶部と、
複数の変調パラメータ、および前記各変調パラメータに対して付された順位から構成されるテーブルと、
前記フレームの送信先からフレームを受信した場合、前記変調パラメータ記憶部に記憶されている変調パラメータの前記テーブルにおける順位を特定し、前記変調パラメータ記憶部に記憶されている変調パラメータよりもＮ（Ｎは自然数）順位が異なる変調パラメータを前記テーブルから抽出して使用すると共に、前記変調パラメータ記憶部に記憶されている変調パラメータよりもＮ（Ｎは自然数）順位が異なる変調パラメータが前記テーブルに存在しない場合は、当該サブキャリアをキャリアホールとする変調パラメータを使用して、受信データの復号化または各サブキャリアの復調の少なくとも一方を行なう復調制御部と、を備えることを特徴とする無線通信装置。
【請求項１１】
前記復調制御部は、前記フレームの送信先からフレームを受信した場合、前記変調パラメータ記憶部に記憶されている変調パラメータの前記テーブルにおける順位を特定し、前記変調パラメータ記憶部に記憶されている変調パラメータよりもＮ（Ｎは自然数）順位が異なる変調パラメータを前記テーブルから抽出して使用し、前記変調パラメータ記憶部に記憶されている変調パラメータが当該サブキャリアをキャリアホールとするものではなく、かつ前記変調パラメータ記憶部に記憶されている変調パラメータよりもＮ（Ｎは自然数）以上順位が異なる変調パラメータが前記テーブルに存在しない場合は、前記テーブルから最低または最高順位の変調パラメータを抽出して使用し、前記変調パラメータ記憶部に記憶されている変調パラメータが当該サブキャリアをキャリアホールとするものである場合は、前記変調パラメータ記憶部に記憶されている変調パラメータを使用することを特徴とする請求項１０記載の無線通信装置。
【請求項１２】
前記復調制御部は、前記フレームの送信先からフレームを受信した場合、前記テーブルから単一の変調パラメータを抽出して使用すると共に、前記テーブルを検索して前記変調パラメータ記憶部に記憶されている変調パラメータの順位を特定し、前記変調パラメータ記憶部に記憶されている変調パラメータの順位が前記抽出した単一の変調パラメータよりも送信先で受信され易いことを示すものである場合は、当該サブキャリアをキャリアホールとする変調パラメータを使用することを特徴とする請求項１０記載の無線通信装置。
【請求項１３】
前記復調制御部は、前記フレームの送信先からフレームを受信した場合、前記テーブルから単一の変調パラメータを抽出して使用すると共に、前記テーブルを検索して前記変調パラメータ記憶部に記憶されている変調パラメータの順位を特定し、前記変調パラメータ記憶部に記憶されている変調パラメータが当該サブキャリアをキャリアホールとするものではなく、かつ前記変調パラメータ記憶部に記憶されている変調パラメータの順位が前記抽出した単一の変調パラメータよりも送信先で受信され易いことを示すものである場合は、当該サブキャリアについてのみ前記変調パラメータ記憶部に記憶されている変調パラメータを抽出して使用し、前記変調パラメータ記憶部に記憶されている変調パラメータが当該サブキャリアをキャリアホールとする場合は、前記変調パラメータ記憶部に記憶されている変調パラメータを使用することを特徴とする請求項１０記載の無線通信装置。
【請求項１４】
前記復調制御部は、前記フレームの送信先からフレームを受信した場合、受信したフレームから、送信時に使用された変調パラメータの前記テーブルにおける順位を示す情報、移動した順位数Ｎ（Ｎは自然数）を示す情報、または送信時に使用された単一の変調パラメータを示す情報のいずれか一つを検出する順位検出部をさらに備えることを特徴とする請求項１０から請求項１３のいずれかに記載の無線通信装置。
【請求項１５】
請求項１から請求項９のいずれかに記載の無線通信装置と、
請求項１０から請求項１４のいずれかに記載の無線通信装置と、から構成されることを特徴とする無線通信システム。
【発明の詳細な説明】
【技術分野】
【０００１】
本発明は、マルチキャリア伝送方式を用いた時分割複信（Time Division Duplex：以下、「ＴＤＤ」と呼称する。）に適用される無線通信装置に関する。
【背景技術】
【０００２】
近年、無線通信システムに高速化を求めるユーザの数が増加している。無線通信システムの高速化・大容量化の実現が可能な方式の一つとして、複数の搬送波に情報を乗せて通信を行なうマルチキャリア伝送方式が知られている。このマルチキャリア伝送方式は、ある周波数間隔で配置された帯域幅の狭い複数の搬送波（サブキャリア）を用いて、周波数分割多重で情報信号を並列に伝送する方式である。具体的には、例えば、直交周波数分割多重（Orthogonal Frequency Division Multiplexing：以下、「ＯＦＤＭ」と呼称する。）伝送方式である。【０００３】
シングルキャリア伝送方式で高速伝送を行なう場合には、周波数選択性フェージングの影響により、帯域全体の周波数特性が一定ではなくなる。これは、時間領域においては、符号間干渉が発生していることに相当し、伝送品質が著しく劣化する要因となる。【０００４】
これに対して、マルチキャリア伝送方式では、周波数選択性フェージング環境下においても、各サブキャリアの伝搬路変動はそれぞれ一様なフェージングとみなすことができるため、周波数選択性フェージングの影響を軽減できる。また、マルチキャリア伝送では各サブキャリアの受信電力（または受信ＳＮＲ：Signal to Noise Power Ratioや受信ＳＩＮＲ：Signal to Interference plus Noise Power Ratio）は、それぞれ異なるものとなるため、変調方式、符号化率、符号化方式等の変調パラメータを全サブキャリアに共通に与える場合に比べ、伝搬路状態に応じてサブキャリア毎に適切な変調パラメータを与える適応変調方式（サブキャリア適応変調方式）を用いることにより、高効率な通信を行なうことができる。
従来のサブキャリア適応変調方式で無線通信を行なう無線通信装置では、図２４に示すようなフレームを使用する。すなわち、同図に示すように、このフレームは、同期検波、伝搬路状態推定を行なうためのパイロットサブフレームと、各サブキャリアの変調パラメータを受信側へ通知するための変調情報サブフレームと、情報データの伝送に使用されるデータサブフレームとから構成されている（例えば、非特許文献１、非特許文献２および非特許文献３参照）。この変調情報サブフレームを伝送する際に使用する変調パラメータは、一般的に最も誤り率特性の良いものが予め決められており、すべてのサブキャリアに共通の変調パラメータとして使用される。この変調情報サブフレーム内で指示された変調パラメータによって、データサブフレームがサブキャリア毎に適応変調されている。なお、通信システムの必要に応じて、上記３つのサブフレームの他に、フレーム長を示す情報などのサブフレームが別途挿入されることもある。【０００５】
図２５は、マルチキャリア伝送方式で無線通信を行なう従来の無線通信装置の概略構成を示す図である。同図において、Ａ／Ｄ変換回路１０１は、図２４に示すフレームフォーマットの受信信号Ｓ１をディジタル信号へ変換する。シンボル同期回路１０２は、受信信号Ｓ１におけるパイロットサブフレームを用いて、ＯＦＤＭシンボルの同期を行なう。ＦＦＴ回路１０３は、上記ディジタル信号へ変換した受信信号にフーリエ変換を施し、サブキャリア毎の信号に変換する。パイロット分離回路１０４は、受信信号Ｓ１からパイロットサブフレームを分離して、伝搬路推定回路１０５へ出力する。伝搬路推定回路１０５は、パイロットサブフレームの受信状態から伝搬路状態を推定する。【０００６】
復調制御回路１０６は、変調情報サブフレームを予め定めた変調パラメータで復調するように指示する受信フレーム変調パラメータ制御信号Ｓ４を、サブキャリア適応復調回路１０７または復号回路１０８の少なくとも一方に入力する。サブキャリア適応復調回路１０７は、受信フレーム変調パラメータ制御信号Ｓ４に基づく変調方式に対応して、サブキャリア毎の信号に変換された受信信号を復調する。なお、Ｓ４が入力されない場合は、予め定められた変調方式に対応させて復調する。復号回路１０８は、受信フレーム変調パラメータ制御信号Ｓ４に基づく符号化率または符号化方式の少なくとも一方に対応して、上記復調された信号を復号する。なお、Ｓ４が入力されない場合は、予め定められた符号化率および符号化方式に対応して、復号する。変調情報分離回路１０９は、変調情報サブフレームを取り出し、そこに示された各サブキャリアの変調パラメータ（受信フレーム変調パラメータＳ３）を、復調制御回路１０６へ入力すると共に、受信データＳ２を出力する。復調制御回路１０６は、データサブフレームを上記受信フレーム変調パラメータＳ３に従って復調または復号するように指示するように受信フレーム変調パラメータ制御信号Ｓ４を更新し、サブキャリア適応復調回路１０７または復号回路１０８の少なくとも一方に入力する。【０００７】
一方、変調パラメータ算出回路１１０は、伝搬路推定回路１０５から入力された伝搬路推定結果に基づいて、送信フレームにおけるデータサブフレームの変調パラメータを算出し、算出結果を変調制御回路１１１へ入力する。変調制御回路１１１では、変調パラメータ算出回路１１０が算出した変調パラメータに従って符号化または変調するように指示する送信フレーム変調パラメータ制御信号Ｓ７を、変調情報をサブフレームに挿入する変調情報挿入回路１１２、符号化回路１１３またはサブキャリア適応変調回路１１４の少なくとも一つに入力する。符号化回路１１３は、送信フレーム変調パラメータ制御信号Ｓ７に基づく符号化率または符号化方式の少なくとも一方によって、送信データＳ５を符号化する。なお、Ｓ７が入力されない場合は、予め定められた符号化率および符号化方式によって符号化する。サブキャリア適応変調回路１１４は、送信フレーム変調パラメータ制御信号Ｓ７に基づく変調方式によって、各サブキャリアを変調する。なお、Ｓ７が入力されない場合は、予め定められた変調方式によって変調する。【０００８】
ＩＦＦＴ回路１１５は、サブキャリア適応変調回路１１４で変調されたサブキャリア毎の信号に、逆フーリエ変換を施し、送信信号のディジタル信号を生成する。パイロット挿入回路１１６は、データサブフレームに先立って、パイロットサブフレームを送信フレームへ挿入する。なお、パイロットサブフレームは、ＭＡＣ層で予め挿入するか、ＩＦＦＴ回路１１５より前段において挿入することもできる。Ｄ／Ａ変換回路１１７は、パイロットサブフレームが挿入された送信フレームのディジタル信号をアナログ信号へ変換し、送信信号Ｓ６を出力する。【０００９】
すなわち、上記のような従来の無線通信装置では、非特許文献１にも記載されているが、受信したフレームからパイロットサブフレームを取り出し、パイロットサブフレームの受信状態から伝搬路状態を推定し、上記伝搬路状態の推定結果に基づいて、送信フレームの各サブキャリアの変調パラメータを算出する、という手順で、送信フレームの各サブキャリアの変調パラメータを決定している。
【非特許文献１】前原他「サブキャリア適応変調を用いたＯＦＤＭ／ＴＤＤ伝送方式の検討」、２００１年電子情報通信学会総合大会、２００１年３月、Ｂ−５−１００、ｐ．４９８
【非特許文献２】吉識他「高速データ伝送のためのマルチレベル送信電力制御を用いたＯＦＤＭ適応変調方式」、電子情報通信学会論文誌Ｂ、２００１年７月、Ｖｏｌ．Ｊ８４−Ｂ、Ｎｏ．７、ｐ．１１４１−１１５０
【非特許文献３】吉識他「１セル繰り返しＯＦＤＭ／ＴＤＭＡシステムにおけるマルチレベル送信電力制御のための干渉電力推定に関する検討」、電子情報通信学会技術報告、２００３年１月、ＲＣＳ２００２−２４０、ｐ．６５−７０
【非特許文献４】「Supplement to IEEE Standard for Information technology - Telecommunications and information exchange between systems - Local and metropolitan area networks - Specific requirements - Part11:Wireless LAN Medium Access Control(MAC) and Physical Layer(PHY) specifications: High-speed Physical Layer in the 5GHz Band」、IEEE Std 802.11a-1999、１９９９年１１月
【非特許文献５】「IEEE Standard for Information technology - Telecommunications and information exchange between systems - Local and metropolitan area networks - Specific requirements - Part11:Wireless LAN Medium Access Control(MAC) and Physical Layer(PHY) specifications」、IEEE Std 802.11、１９９９年
【発明の開示】
【発明が解決しようとする課題】
【００１０】
上記のように、従来のサブキャリア適応変調方式による通信で使用されるフレームには、各サブキャリアの変調パラメータを受信側へ通知するための変調情報サブフレームの挿入が必要となっている。【００１１】
しかしながら、この変調情報サブフレームを挿入することには、以下のような問題が存在する。すなわち、サブキャリア数と選択可能な変調パラメータ数に比例して変調情報サブフレームが長くなり、そのオーバヘッドにより通信のスループットが低下してしまう。例えば、サブキャリア数５２、選択可能な変調パラメータ数８（３ビット）の場合、変調情報サブフレームの長さは１５６ビットとなる。特に、受信フレームに対する確認応答フレーム（Acknowledgeフレーム：以下、「ＡＣＫフレーム」と呼称する。）などのデータサブフレームが短いフレームではこの影響が大きい。また、例えば、米国のＯＦＤＭ方式による５ＧＨｚ帯無線ＬＡＮ規格ＩＥＥＥ８０２．１１ａでのＡＣＫフレームにおけるデータサブフレームに相当する長さは１２８ビットである（非特許文献４および非特許文献５参照）。さらに、フレーム長が長くなるだけ送信動作時間が長くなり、通信端末の消費電力が大きくなってしまう。【００１２】
変調情報サブフレームは、サブキャリア適応変調の対象とすることができないため、図２６および図２７に示すように、伝搬路の状態が著しく悪いサブキャリアにも情報ビットを乗せなければならない。このため、そのサブキャリアに乗せられた変調パラメータの情報ビットが正しく受信できず、欠落してしまう可能性がある。この場合、当該フレームの受信を失敗してしまう。【００１３】
また、伝搬路状態が悪い場合は、全サブキャリアを使用して単一の変調パラメータで伝送される変調情報サブフレームよりも、伝搬路状態に応じたサブキャリア適応変調が施され伝送されるデータサブフレームの方が、ビット誤り率を低くするように制御することができるため、フレーム誤り率は変調情報サブフレームの誤り率によって支配されてしまうこととなる。【００１４】
さらに、従来のサブキャリア適応変調方式に基づく通信装置では、受信したフレームの送信元に対して、フレームを送信する場合、受信したフレームのパイロットサブフレームの受信状態から伝搬路状態を推定するための回路と、その推定結果に基づいて送信フレームの各サブキャリアにおいて所望の受信特性を得られるような変調パラメータを算出する回路とが必要となり、回路規模が増加してしまう。このような回路規模の増加は、特に、アクセスポイントとユーザ端末により構成されるような通信システムにおけるユーザ端末のように、小型化、低消費電力化が要求される場合、消費電力の増加や製造コストの増加につながり、好ましくない。【００１５】
本発明は、このような事情に鑑みてなされたものであり、スループットを向上させると共に、回路規模の縮小化と送信時の消費電力の低減化を図ることができる無線通信装置を提供することを目的とする。
【課題を解決するための手段】
【００１６】
（１）上記の目的を達成するため、本発明は、以下のような手段を講じた。すなわち、本発明に係る無線通信装置は、複数のサブフレームで構成されるフレームを用いてマルチキャリア伝送方式で無線通信を行なう無線通信装置であって、受信した前記フレームを構成し各サブキャリアの変調パラメータを受信側へ通知するための変調情報サブフレームから、前記変調パラメータを抽出する抽出部と、前記抽出された変調パラメータを記憶する記憶部と、前記フレームの送信元に対してフレームを送信する場合、前記記憶されている変調パラメータを使用して、送信データの符号化または各サブキャリアの変調の少なくとも一方を行なう変調制御部と、を備え、前記フレームの送信元に対して前記変調情報サブフレームを含まないフレームを送信することを特徴としている。【００１７】
このように、フレームの送信元に対してフレームを送信する場合、送信元で使用された変調パラメータを記憶し、その記憶されている変調パラメータを使用して、送信データの符号化または各サブキャリアの変調の少なくとも一方を行なうので、送信フレームに送信元に対して変調パラメータを伝えるための変調情報サブフレームを挿入する必要がなくなる。その結果、スループットの向上と、送信時の消費電力の低減化を図ることが可能となる。また、変調情報サブフレームが不要であるため、変調情報サブフレームの誤りによるフレームの受信失敗を回避することができる。さらに、伝搬路状態の推定回路および変調パラメータ算出回路が不要となるので、回路規模の縮小化と、消費電力の低減化を図ることが可能となる。【００１８】
（２）また、本発明に係る無線通信装置は、受信したフレームが自局宛であるかどうかを判定する判定部をさらに備え、前記記憶部は、受信したフレームが自局宛であると判定された場合、当該フレームの前記変調情報サブフレームから抽出された変調パラメータを記憶することを特徴としている。【００１９】
このように、受信したフレームが自局宛であるかどうかを判定するので、複数の無線通信装置を収容して通信を行なう無線通信システムを実現することが可能となる。【００２０】
（３）また、本発明に係る無線通信装置は、前記変調パラメータは、各サブキャリアの変調方式、送信データの符号化率または送信データの符号化方式の少なくとも一つ、およびサブキャリアが存在しない、または情報を搬送しないキャリアホールであることを示す情報を含むことを特徴としている。【００２１】
このように、変調パラメータとして、各サブキャリアの変調方式、送信データの符号化率または送信データの符号化方式の少なくとも一つ、およびサブキャリアが存在しない、または情報を搬送しないキャリアホールであることを示す情報を使用するので、従来の無線通信装置および無線通信システムに対して大きな変更を加えることなく、本発明に係る無線通信装置およびそれにより構成される無線通信システムを実現することが可能となる。その結果、実現するためのコストを削減すると共に、実現までに要する時間を短縮することが可能となる。【００２２】
（４）また、本発明に係る無線通信装置は、複数の変調パラメータ、および前記各変調パラメータに対して付された順位から構成されるテーブルを更に備え、前記変調制御部は、前記フレームの送信元に対してフレームを送信する場合、前記記憶されている変調パラメータ、または前記テーブルから抽出した変調パラメータのいずれか一方を使用して、送信データの符号化または各サブキャリアの変調の少なくとも一方を行なうことを特徴としている。【００２３】
このように、フレームの送信元に対してフレームを送信する場合、送信元で使用された変調パラメータを記憶し、その記憶されている変調パラメータ、またはテーブルから抽出した変調パラメータのいずれか一方を使用する。このため、記憶されている変調パラメータを使用する場合は、送信フレームに送信元に対して変調パラメータを伝えるための変調情報サブフレームを挿入する必要がなくなり、スループットの向上と、送信時の消費電力の低減化を図ることが可能となる。一方、テーブルに複数の変調パラメータを備えているので、いずれか一つの変調パラメータを、条件に応じて選択して使用することができる。これにより、伝搬路状態の変動などに柔軟に対応することが可能となる。なお、テーブルにおける変調パラメータの順位は、例えば、同一の伝搬路状態において送信データに対する誤りデータの比率を示す誤り率、同一の前記誤り率を得るために必要とされる搬送波対雑音電力比、若しくは情報伝送速度など、またはこれらの組み合わせで求められる数値の高い順序で付しても良いし、低い順序で付しても良い。【００２４】
（５）また、本発明に係る無線通信装置は、前記変調制御部は、前記フレームの送信元に対してフレームを送信する場合、前記テーブルを検索して前記記憶部に記憶されている変調パラメータの順位を特定し、前記記憶部に記憶されている変調パラメータよりもＮ（Ｎは自然数）以上順位が異なる変調パラメータを前記テーブルから抽出し、前記抽出した変調パラメータを使用して、送信データの符号化または各サブキャリアの変調の少なくとも一方を行なうことを特徴としている。【００２５】
このように、記憶されている変調パラメータよりもＮ（Ｎは自然数）以上順位が異なる変調パラメータを使用するので、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータよりもＮ以上順位が低い変調パラメータを使用することによって、受信特性が良くなり、伝搬路状態の変動に対する耐性を向上させ、誤り率を低減させることが可能となる。【００２６】
（６）また、本発明に係る無線通信装置は、前記変調制御部は、前記記憶部に記憶されている変調パラメータよりもＮ（Ｎは自然数）以上順位が異なる変調パラメータが前記テーブルに存在しない場合は、当該サブキャリアをキャリアホールとする変調パラメータを使用することを特徴としている。【００２７】
このように、記憶されている変調パラメータよりもＮ（Ｎは自然数）以上順位が異なる変調パラメータがテーブルに存在しない場合、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータよりもＮ以上順位が低い変調パラメータがテーブルに存在しない場合は、当該サブキャリアをキャリアホールとすることができるので、当該サブキャリアでの誤りの発生を抑えることができる。【００２８】
（７）また、本発明に係る無線通信装置は、前記変調制御部は、前記記憶部に記憶されている変調パラメータが当該サブキャリアをキャリアホールとするものではなく、かつ前記記憶部に記憶されている変調パラメータよりもＮ（Ｎは自然数）以上順位が異なる変調パラメータが前記テーブルに存在しない場合は、前記テーブルから最低または最高順位の変調パラメータを抽出して使用する一方、前記記憶部に記憶されている変調パラメータが当該サブキャリアをキャリアホールとするものである場合は、前記記憶部に記憶されている変調パラメータを使用することを特徴としている。【００２９】
このように、記憶されている変調パラメータが当該サブキャリアをキャリアホールとするものではなく、かつ記憶されている変調パラメータよりもＮ（Ｎは自然数）以上順位が異なる変調パラメータが前記テーブルに存在しない場合、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータよりもＮ以上順位が低い変調パラメータがテーブルに存在しない場合は、テーブルから最低順位の変調パラメータを抽出して使用することにより、受信特性のより良い変調パラメータを使用して、伝搬路状態の変動に対する耐性を向上させ、誤り率を低減させることが可能となる。また、上記のように順位が付されている場合で、記憶されている変調パラメータよりもＮ以上順位が低い変調パラメータがテーブルに存在しない場合は、記憶されている変調パラメータを使用することにより、当該サブキャリアをキャリアホールとすることができるので、当該サブキャリアでの誤りの発生を抑えることができる。その結果、処理の簡略化、処理速度の向上および消費電力の低減化を図ることが可能となる。【００３０】
（８）また、本発明に係る無線通信装置は、伝搬路状態の変動の速さを検出する検出部をさらに備え、前記変調制御部は、前記検出された速さが大きい場合は、前記Ｎ（Ｎは自然数）を大きくする一方、前記検出された速さが小さい場合は、前記Ｎ（Ｎは自然数）を小さくすることを特徴としている。【００３１】
このように、伝搬路状態の変動の速さを検出し、検出された速さが大きい場合は、Ｎ（Ｎは自然数）を大きくするので、周波数選択性フェージングの影響を軽減することができると共に、高効率な通信を行なうことが可能となる。一方、検出された伝搬路変動の速さが小さい場合は、Ｎ（Ｎは自然数）を小さくするので、伝搬路変動に対する耐性を向上させると共に、誤り率を低減化させることが可能となる。【００３２】
（９）また、本発明に係る無線通信装置は、前記変調制御部は、前記フレームの送信元に対してフレームを送信する場合、前記テーブルから単一の変調パラメータを抽出して使用すると共に、前記テーブルを検索して前記記憶部に記憶されている変調パラメータの順位を特定し、前記記憶部に記憶されている変調パラメータの順位が前記抽出した単一の変調パラメータよりも送信先で受信され易いことを示すものである場合は、当該サブキャリアをキャリアホールとする変調パラメータを使用することを特徴としている。【００３３】
このように、送信フレームの変調パラメータとして単一の変調パラメータを使用するので、送信データに対する符号化に関する処理、サブキャリア適応変調に関する処理、およびこれらに関する制御を行なう必要がなくなり、回路構成を簡略化させることが可能となる。また、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータの順位が、単一の変調パラメータの順位よりも低い場合は、当該サブキャリアをキャリアホールとすることができるので、それらのサブキャリアでの誤りの発生を抑えることができる。その結果、処理の簡略化、処理速度の向上および消費電力の低減化を図ることが可能となる。【００３４】
（１０）また、本発明に係る無線通信装置は、前記変調制御部は、前記フレームの送信元に対してフレームを送信する場合、前記テーブルから単一の変調パラメータを抽出して使用すると共に、前記テーブルを検索して前記記憶部に記憶されている変調パラメータの順位を特定し、前記記憶部に記憶されている変調パラメータが当該サブキャリアをキャリアホールとするものではなく、かつ前記記憶部に記憶されている変調パラメータの順位が前記抽出した単一の変調パラメータよりも送信先で受信され易いことを示すものである場合は、当該サブキャリアについてのみ前記記憶部に記憶されている変調パラメータを抽出して使用し、前記記憶部に記憶されている変調パラメータが当該サブキャリアをキャリアホールとする場合は、前記記憶部に記憶されている変調パラメータを使用することを特徴としている。【００３５】
このように、送信フレームの変調パラメータとして単一の変調パラメータを使用するので、送信データに対する符号化に関する処理、サブキャリア適応変調に関する処理、およびこれらに関する制御を行なう必要がなくなり、回路構成を簡略化させることが可能となる。また、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータの順位が、単一の変調パラメータの順位よりも低い場合は、当該サブキャリアについてのみ記憶されている変調パラメータを抽出して使用するので、受信特性が良くなり、伝搬路状態の変動に対する耐性を向上させ、誤り率を低減させることが可能となる。さらに、記憶されている変調パラメータが当該サブキャリアをキャリアホールとする場合は、記憶されている変調パラメータを使用することにより、当該サブキャリアをキャリアホールとすることができるので、それらのサブキャリアでの誤りの発生を抑えることができる。その結果、処理の簡略化、処理速度の向上および消費電力の低減化を図ることが可能となる。【００３６】
（１１）また、本発明に係る無線通信装置は、前記変調制御部は、前記フレームの送信元に対してフレームを送信する場合、前記テーブルから最低または最高順位の変調パラメータを抽出して使用すると共に、前記記憶部に記憶されている変調パラメータが当該サブキャリアをキャリアホールとする場合は、前記記憶部に記憶されている変調パラメータを使用することを特徴としている。【００３７】
このように、テーブルから最低または最高順位の変調パラメータを抽出して使用するので、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、最低順位の変調パラメータを使用することにより、伝搬路状態の変動に対する耐性を向上させ、誤り率の低減化を図ることが可能となる。また、記憶されている変調パラメータが当該サブキャリアをキャリアホールとする場合は、記憶されている変調パラメータを使用することにより、当該サブキャリアをキャリアホールとすることができるので、それらのサブキャリアでの誤りの発生を抑えることができる。その結果、処理の簡略化、処理速度の向上および消費電力の低減化を図ることが可能となる。【００３８】
（１２）また、本発明に係る無線通信装置は、前記変調制御部は、前記フレームの送信元に対してフレームを送信する場合、使用した変調パラメータの前記テーブルにおける順位を示す情報、前記記憶部に記憶されている変調パラメータの順位から移動した順位数Ｎ（Ｎは自然数）を示す情報、または使用した単一の変調パラメータを示す情報のいずれか一つを送信フレームに含めることを特徴としている。【００３９】
このように、使用した変調パラメータのテーブルにおける順位を示す情報、記憶部に記憶されている変調パラメータの順位から移動した順位数Ｎ（Ｎは自然数）を示す情報、または使用した単一の変調パラメータを示す情報のいずれか一つを送信フレームに含めるので、受信側に対してどのような変調パラメータが使用されたのかを伝達することができる。本発明では、変調情報サブフレームを送信しないため、変調パラメータに関する情報を送信フレームに含めることによって、確実に変調パラメータを受信側へ伝えることが可能となる。なお、移動する順位数Ｎ（Ｎは自然数）、および単一の変調パラメータを、予めシステムで取り決めておけば、移動する順位数Ｎ（Ｎは自然数）や単一の変調パラメータを示す情報を送信フレームに含める必要がなくなる。【００４０】
（１３）また、本発明に係る無線通信装置は、複数のサブフレームで構成されるフレームを用いてマルチキャリア伝送方式で無線通信を行なう無線通信装置であって、送信するフレームの各サブキャリアの変調パラメータを記憶する変調パラメータ記憶部と、前記フレームの送信先からフレームを受信した場合、前記記憶した変調パラメータを使用して、受信データの復号化または各サブキャリアの復調の少なくとも一方を行なう復調制御部と、を備えることを特徴としている。【００４１】
このように、送信するフレームの各サブキャリアの変調パラメータを記憶しておき、フレームの送信先からフレームを受信した場合、その記憶した変調パラメータを使用するので、上記送信先は、変調情報サブフレームを含まないフレームを送信することができる。これにより、スループットの向上と、送信時の消費電力の低減化が図られた無線通信システムを構築することが可能となる。【００４２】
（１４）また、本発明に係る無線通信装置は、複数の変調パラメータ、および前記各変調パラメータに対して付された順位から構成されるテーブルを更に備え、前記復調制御部は、前記フレームの送信先からフレームを受信した場合、前記変調パラメータ記憶部に記憶されている変調パラメータの前記テーブルにおける順位を特定し、前記変調パラメータ記憶部に記憶されている変調パラメータよりもＮ（Ｎは自然数）順位が異なる変調パラメータを前記テーブルから抽出して使用すると共に、前記変調パラメータ記憶部に記憶されている変調パラメータよりもＮ（Ｎは自然数）順位が異なる変調パラメータが前記テーブルに存在しない場合は、当該サブキャリアをキャリアホールとする変調パラメータを使用することを特徴としている。【００４３】
このように、記憶されている変調パラメータよりもＮ（Ｎは自然数）以上順位が異なる変調パラメータを使用するので、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータよりもＮ以上順位が低い変調パラメータを使用することによって、受信時における受信特性が良くなり、伝搬路状態の変動に対する耐性を向上させ、誤り率を低減させることが可能となる。また、上記のように順位が付されている場合で、記憶されている変調パラメータよりもＮ以上順位が低い変調パラメータがテーブルに存在しない場合は、記憶されている変調パラメータを使用することにより、当該サブキャリアをキャリアホールとすることができるので、当該サブキャリアでの誤りの発生を抑えることができる。その結果、処理の簡略化、処理速度の向上および消費電力の低減化を図ることが可能となる。【００４４】
（１５）また、本発明に係る無線通信装置は、複数の変調パラメータ、および前記各変調パラメータに対して付された順位から構成されるテーブルを更に備え、前記復調制御部は、前記フレームの送信先からフレームを受信した場合、前記変調パラメータ記憶部に記憶されている変調パラメータの前記テーブルにおける順位を特定し、前記変調パラメータ記憶部に記憶されている変調パラメータよりもＮ（Ｎは自然数）順位が異なる変調パラメータを前記テーブルから抽出して使用し、前記変調パラメータ記憶部に記憶されている変調パラメータが当該サブキャリアをキャリアホールとするものではなく、かつ前記変調パラメータ記憶部に記憶されている変調パラメータよりもＮ（Ｎは自然数）以上順位が異なる変調パラメータが前記テーブルに存在しない場合は、前記テーブルから最低または最高順位の変調パラメータを抽出して使用し、前記変調パラメータ記憶部に記憶されている変調パラメータが当該サブキャリアをキャリアホールとするものである場合は、前記変調パラメータ記憶部に記憶されている変調パラメータを使用することを特徴としている。【００４５】
このように、テーブルから最低または最高順位の変調パラメータを抽出して使用するので、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、最低順位の変調パラメータを使用することにより、伝搬路状態の変動に対する耐性を向上させ、誤り率の低減化を図ることが可能となる。また、記憶されている変調パラメータが当該サブキャリアをキャリアホールとする場合は、記憶されている変調パラメータを使用することにより、当該サブキャリアをキャリアホールとすることができるので、それらのサブキャリアでの誤りの発生を抑えることができる。その結果、処理の簡略化、処理速度の向上および消費電力の低減化を図ることが可能となる。【００４６】
（１６）また、本発明に係る無線通信装置は、複数の変調パラメータ、および前記各変調パラメータに対して付された順位から構成されるテーブルを更に備え、前記復調制御部は、前記フレームの送信先からフレームを受信した場合、前記テーブルから単一の変調パラメータを抽出して使用すると共に、前記テーブルを検索して前記変調パラメータ記憶部に記憶されている変調パラメータの順位を特定し、前記変調パラメータ記憶部に記憶されている変調パラメータの順位が前記抽出した単一の変調パラメータよりも送信先で受信され易いことを示すものである場合は、当該サブキャリアをキャリアホールとする変調パラメータを使用することを特徴としている。【００４７】
このように、フレームの送信先からフレームを受信した場合、テーブルから単一の変調パラメータを抽出して使用するので、送信側において、変調情報サブフレームを含まないフレーム送信することができ、スループットの向上と、送信時の消費電力の低減化が図られた無線通信システムを構築することが可能となる。また、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータの順位が、単一の変調パラメータの順位よりも低い場合は、当該サブキャリアをキャリアホールとすることができるので、それらのサブキャリアでの誤りの発生を抑えることができる。その結果、処理の簡略化、処理速度の向上および消費電力の低減化を図ることが可能となる。【００４８】
（１７）また、本発明に係る無線通信装置は、複数の変調パラメータ、および前記各変調パラメータに対して付された順位から構成されるテーブルを更に備え、前記復調制御部は、前記フレームの送信先からフレームを受信した場合、前記テーブルから単一の変調パラメータを抽出して使用すると共に、前記テーブルを検索して前記変調パラメータ記憶部に記憶されている変調パラメータの順位を特定し、前記変調パラメータ記憶部に記憶されている変調パラメータが当該サブキャリアをキャリアホールとするものではなく、かつ前記変調パラメータ記憶部に記憶されている変調パラメータの順位が前記抽出した単一の変調パラメータよりも送信先で受信され易いことを示すものである場合は、当該サブキャリアについてのみ前記変調パラメータ記憶部に記憶されている変調パラメータを抽出して使用し、前記変調パラメータ記憶部に記憶されている変調パラメータが当該サブキャリアをキャリアホールとする場合は、前記変調パラメータ記憶部に記憶されている変調パラメータを使用することを特徴としている。【００４９】
このように、フレームの送信先からフレームを受信した場合、テーブルから単一の変調パラメータを抽出して使用するので、送信側において、変調情報サブフレームを含まないフレーム送信することができ、スループットの向上と、送信時の消費電力の低減化が図られた無線通信システムを構築することが可能となる。また、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータの順位が、単一の変調パラメータの順位よりも低い場合は、当該サブキャリアについてのみ記憶されている変調パラメータを抽出して使用するので、受信特性が良くなり、伝搬路状態の変動に対する耐性を向上させ、誤り率を低減させることが可能となる。さらに、記憶されている変調パラメータが当該サブキャリアをキャリアホールとする場合は、記憶されている変調パラメータを使用することにより、当該サブキャリアをキャリアホールとすることができるので、それらのサブキャリアでの誤りの発生を抑えることができる。その結果、処理の簡略化、処理速度の向上および消費電力の低減化を図ることが可能となる。【００５０】
（１８）また、本発明に係る無線通信装置は、前記復調制御部は、前記フレームの送信先からフレームを受信した場合、受信したフレームから、送信時に使用された変調パラメータの前記テーブルにおける順位を示す情報、移動した順位数Ｎ（Ｎは自然数）を示す情報、または送信時に使用された単一の変調パラメータを示す情報のいずれか一つを検出する順位検出部をさらに備えることを特徴としている。【００５１】
このように、受信したフレームから、送信時に使用された変調パラメータのテーブルにおける順位を示す情報、移動した順位数Ｎ（Ｎは自然数）を示す情報、または送信時に使用された単一の変調パラメータを示す情報のいずれか一つを検出するので、送信側において、どのような変調パラメータが使用されたのかを把握することができる。本発明では、変調情報サブフレームを受信しないため、変調パラメータに関する情報を検出することによって、確実に変調パラメータを把握することが可能となる。【００５２】
（１９）また、本発明に係る無線通信システムは、上記（１）から（１２）のいずれかに記載の無線通信装置と、上記（１３）から（１８）のいずれかに記載の無線通信装置と、から構成されることを特徴としている。【００５３】
この構成により、スループットの向上と、送信時の消費電力の低減化が図られた無線通信システムを構築することが可能となる。なお、上記（１３）から（１８）のいずれかに記載の無線通信装置は、複数の無線通信装置で構成される無線通信システムにおいて各無線通信装置間の通信の中継、または外部ネットワークとの中継を行なうアクセスポイントとして機能させても良いし、複数の無線通信装置間の通信においてその通信を主導する無線通信装置として機能させても良い。
【発明の効果】
【００５４】
本発明によれば、送信フレームに送信元に対して変調パラメータを伝えるための変調情報サブフレームを挿入しないので、スループットの向上と、送信時の消費電力の低減化を図ることが可能となる。また、変調情報サブフレームが不要であるため、変調情報サブフレームの誤りによるフレームの受信失敗を回避することができる。さらに、伝搬路状態の推定回路および変調パラメータ算出回路が不要となるので、回路規模の縮小化と、消費電力の低減化を図ることが可能となる。
【発明を実施するための最良の形態】
【００５５】
（第１の実施形態）
第１の実施形態に係る無線通信システムでは、端末装置（無線通信装置）とアクセスポイントとの間で、複数のサブフレームで構成されるフレームを用いてマルチキャリア伝送方式で無線通信を行なう。例えば、直交周波数分割多重（ＯＦＤＭ）伝送方式を用いた時分割複信（ＴＤＤ）システムである。このシステムに適用される無線通信装置は、送信元からフレームを受信すると、そのフレームにおいて、各サブキャリアの変調パラメータを受信側へ通知するための変調情報サブフレームから変調パラメータを抽出する。この抽出した変調パラメータを記憶しておき、上記送信元に対してフレームを送信する場合、記憶した変調パラメータを使用して、送信データの符号化または各サブキャリアの変調の少なくとも一方を行なう。そして、フレームの送信元に対して変調情報サブフレームを含まないフレームを送信する。なお、上記の変調パラメータは、各サブキャリアの変調方式、送信データの符号化率または送信データの符号化方式の少なくとも一つ、およびサブキャリアが存在しない、または情報を搬送しないキャリアホールであることを示す情報を含むものとする。【００５６】
図１は、第１の実施形態に係る端末装置（無線通信装置）の概略構成を示すブロック図である。フレームを受信すると、受信信号Ｓ１がＡ／Ｄ変換回路１に入力される。このときのフレームフォーマットは、図２４に示すように、従来技術と同様な構成を採る。Ａ／Ｄ変換回路１は、受信信号Ｓ１をディジタル信号へ変換して出力する。シンボル同期回路２は、受信信号Ｓ１のパイロットサブフレームを用いて、ＯＦＤＭシンボルの同期を行なう。ＦＦＴ回路３は、上記ディジタル信号に変換された受信信号に対してフーリエ変換を施し、サブキャリア毎の信号に変換して変換した信号をサブキャリア適応復調回路４へ入力する。【００５７】
復調制御回路６は、変調情報サブフレームを予め定めた変調パラメータで復調するように指示する受信フレーム変調パラメータ制御信号Ｓ４を、サブキャリア適応復調回路４または復号回路７の少なくとも一方に入力する。サブキャリア適応復調回路４は、受信フレーム変調パラメータ制御信号Ｓ４に基づく変調方式に対応して、サブキャリア毎の信号に変換された受信信号を復調する。なお、Ｓ４が入力されない場合は、予め定められた変調方式に対応して復調する。復号回路７は、受信フレーム変調パラメータ制御信号Ｓ４に基づく符号化率または符号化方式の少なくとも一方に対応して、上記復調された信号を復号する。なお、Ｓ４が入力されない場合は、予め定められた符号化率および符号化方式に対応して復号する。【００５８】
変調情報分離回路８は、変調情報サブフレームを取り出し、そこに示された各サブキャリアの変調パラメータ、すなわち、受信フレーム変調パラメータＳ３を、復調制御回路６および変調パラメータ記憶回路９へ入力すると共に、受信データＳ２を出力する。復調制御回路６は、データサブフレームを上記受信フレーム変調パラメータＳ３に従って復調または復号するように指示するために受信フレーム変調パラメータ制御信号Ｓ４を更新し、サブキャリア適応復調回路４または復号回路７の少なくとも一方に入力する。そして、上記と同様に、サブキャリア適応復調回路４および復号回路７は、Ｓ４に基づいてデータサブフレームを復調、復号する。【００５９】
変調パラメータ記憶回路９は、上記受信フレーム変調パラメータＳ３を記憶する。これにより、送信元で使用された変調パラメータＳ３を保持し、送信時に使用することができる。【００６０】
また、この無線通信装置は、送信データＳ５を送信する場合、変調パラメータ記憶回路９が、記憶しておいた上記受信フレーム変調パラメータＳ３を変調制御回路１０へ入力する。変調制御回路１０は、上記受信フレーム変調パラメータＳ３に基づいて、送信フレームにおけるデータサブフレームの変調パラメータを選択し、これに従って符号化または変調するように指示する送信フレーム変調パラメータ制御信号Ｓ７を、符号化回路１１またはサブキャリア適応変調回路１２の少なくとも一方に入力する。【００６１】
符号化回路１１は、送信フレーム変調パラメータ制御信号Ｓ７に基づく符号化率または符号化方式の少なくとも一方によって、送信データＳ５を符号化する。なお、Ｓ７が入力されない場合は、予め定められた符号化率および符号化方式によって符号化する。サブキャリア適応変調回路１２は、送信フレーム変調パラメータ制御信号Ｓ７に基づく変調方式によって、各サブキャリアを変調する。なお、Ｓ７が入力されない場合は、予め定められた変調方式によって変調する。ＩＦＦＴ回路１３は、サブキャリア適応変調回路１２で変調されたサブキャリア毎の信号に、逆フーリエ変換を施し、送信信号のディジタル信号を生成する。パイロット挿入回路１４は、データサブフレームに先立って、パイロットサブフレームを送信フレームへ挿入する。なお、パイロットサブフレームは、ＭＡＣ層で予め挿入するか、ＩＦＦＴ回路１３より前段において挿入しても良い。【００６２】
Ｄ／Ａ変換回路１６は、上記パイロットサブフレームが挿入された送信フレームのディジタル信号をアナログ信号へ変換し、送信信号Ｓ６を出力する。送信信号Ｓ６のフレームフォーマットは、図２１に示すような構成を採る。【００６３】
なお、図２に示すように、変調情報分離回路８が出力する受信データＳ２をＭＡＣ層などの上位層で解析し、受信したフレームが自局宛のフレームであるかどうかを判定する判定部１７を備えていても良い。判定部１７は、受信したフレームが自局宛のフレームである場合、自局宛フレーム検出信号Ｓ１６をアクティブにする。このとき、変調パラメータ記憶回路９は、Ｓ１６がアクティブになったフレームについて、受信フレーム変調パラメータＳ３を記憶する。なお、判定部１７は、上位層ではなく、同じ階層においてＳ２から自局宛のフレームであるかどうかを判定する構成を採ることも可能である。【００６４】
図３は、第１の実施形態に係る無線通信システムのアクセスポイントの概略構成を示す図である。このアクセスポイントは、フレームを受信すると、受信信号Ｓ１がＡ／Ｄ変換回路２１に入力される。このときのフレームフォーマットは、図２１に示すように、変調情報サブフレームを含んでいない構成を採る。Ａ／Ｄ変換回路２１は、受信信号Ｓ１をディジタル信号へ変換して出力する。シンボル同期回路２２は、受信信号Ｓ１のパイロットサブフレームを用いて、ＯＦＤＭシンボルの同期を行なう。ＦＦＴ回路２３は、上記ディジタル信号に変換された受信信号に対してフーリエ変換を施し、サブキャリア毎の信号に変換して変換した信号をサブキャリア適応復調回路２４へ入力する。【００６５】
復調制御回路２６は、上記フレームの送信元に対してフレームを送信した際に使用した送信フレーム変調パラメータＳ１５を変調パラメータ記憶回路２８から読み出し、この変調パラメータに基づいて復調するように指示する受信フレーム変調パラメータ制御信号Ｓ４を、サブキャリア適応復調回路２４または復号回路２７の少なくとも一方に入力する。サブキャリア適応復調回路２４は、受信フレーム変調パラメータ制御信号Ｓ４に基づく変調方式に対応して、サブキャリア毎の信号に変換された受信信号を復調する。なお、Ｓ４が入力されない場合は、予め定められた変調方式に対応して復調する。復号回路２７は、受信フレーム変調パラメータ制御信号Ｓ４に基づく符号化率または符号化方式の少なくとも一方に対応して、上記復調された信号を復号し、受信データＳ２を出力する。なお、Ｓ４が入力されない場合は、予め定められた符号化率および符号化方式に対応して復号する。【００６６】
変調パラメータ記憶回路２８は、変調制御回路２９から入力された送信フレーム変調パラメータＳ１５を記憶する。これにより、送信時に使用した変調パラメータＳ１５を保持し、送信先からフレームを受信したときに使用することができる。【００６７】
また、このアクセスポイントは、送信データＳ５を送信するときは、使用する送信フレーム変調パラメータＳ１５を変調制御回路２９および変調情報挿入回路３０に入力する。変調情報挿入回路３０は、図２４に示すフレームにおいて変調情報サブフレームに送信フレーム変調パラメータＳ１５を挿入する。また、変調制御回路２９は、送信フレーム変調パラメータＳ１５に基づいて、送信フレームにおけるデータサブフレームを符号化または変調するように指示する送信フレーム変調パラメータ制御信号Ｓ７を、符号化回路３１またはサブキャリア適応変調回路３２の少なくとも一方に入力する。符号化回路３１は、送信フレーム変調パラメータ制御信号Ｓ７に基づく符号化率または符号化方式の少なくとも一方によって、送信データＳ５を符号化する。なお、Ｓ７が入力されない場合は、予め定められた符号化率および符号化方式によって符号化する。サブキャリア適応変調回路３２は、送信フレーム変調パラメータ制御信号Ｓ７に基づく変調方式によって、各サブキャリアを変調する。なお、Ｓ７が入力されない場合は、予め定められた変調方式によって変調する。【００６８】
ＩＦＦＴ回路３３は、サブキャリア適応変調回路３２で変調されたサブキャリア毎の信号に、逆フーリエ変換を施し、送信信号のディジタル信号を生成する。パイロット挿入回路３４は、データサブフレームに先立って、パイロットサブフレームを送信フレームへ挿入する。なお、パイロットサブフレームは、ＭＡＣ層で予め挿入するか、ＩＦＦＴ回路３３より前段において挿入しても良い。Ｄ／Ａ変換回路３５は、上記パイロットサブフレームが挿入された送信フレームのディジタル信号をアナログ信号へ変換し、送信信号Ｓ６を出力する。送信信号Ｓ６のフレームフォーマットは、図２４に示すような構成を採る。【００６９】
上記変調情報分離回路８は抽出部を構成し、変調パラメータ記憶回路９は記憶部を構成し、変調制御回路１０は変調制御部を構成する。また、変調パラメータ記憶回路２８は変調パラメータ記憶部を構成し、復調制御回路２６は復調制御部を構成する。【００７０】
次に、以上のように構成された無線通信システムの動作の概要について、図４を参照して説明する。まず、アクセスポイントは、送信フレーム変調パラメータを変調情報サブフレームに挿入して、符号化および各サブキャリアの変調を行ない、変調情報サブフレームを有するフレームを端末装置（無線通信装置）へ送信する（ステップＡ１）。アクセスポイントは、このとき使用した変調パラメータを記憶しておく。ここで、アクセスポイント側における送信信号電力スペクトルと変調パラメータは、例えば、図１３に示すようなものとなる。次に、端末装置では、受信信号電力スペクトルは、例えば、図１４に示すようなものとなる。端末装置では、受信したフレームから変調パラメータを分離して記憶する（ステップＡ２）。アクセスポイントに対してフレームを送信する場合、記憶した変調パラメータを読み出し、その変調パラメータを使用して、符号化および各サブキャリアの変調を行なう（ステップＡ３）。そして、変調情報サブフレームを有しないフレームをアクセスポイントに対して送信する（ステップＡ４）。ここで、端末装置が使用する変調パラメータは、図１５に示すように、図１３においてアクセスポイントが送信した変調パラメータと同様となっている。アクセスポイントでは、送信時に使用した変調パラメータを読み出して、受信したフレームを復調および復号する（ステップＡ５）。【００７１】
以上説明したように、第１の実施形態に係る無線通信装置によれば、フレームの送信元（アクセスポイント）に対してフレームを送信する場合、送信元（アクセスポイント）で使用された変調パラメータを記憶し、その記憶されている変調パラメータを使用して、送信データの符号化または各サブキャリアの変調の少なくとも一方を行なうので、送信フレームに送信元（アクセスポイント）に対して変調パラメータを伝えるための変調情報サブフレームを挿入する必要がなくなる。その結果、スループットの向上と、送信時の消費電力の低減化を図ることが可能となる。また、変調情報サブフレームが不要であるため、変調情報サブフレームの誤りによるフレームの受信失敗を回避することができる。さらに、伝搬路状態の推定回路および変調パラメータ算出回路が不要となるので、回路規模の縮小化と、消費電力の低減化を図ることが可能となる。【００７２】
（第２の実施形態）
第２の実施形態に係る無線通信システムでは、端末装置（無線通信装置）およびアクセスポイントは、複数の変調パラメータに対して順位を付したテーブルを備える。このテーブルにおける順位は、例えば、同一の伝搬路状態において送信データに対する誤りデータの比率を示す誤り率、同一の前記誤り率を得るために必要とされる搬送波対雑音電力比、情報伝送速度若しくは信号対干渉電力比など、またはこれらの組み合わせで求められる数値の高い順序で付しても良いし、低い順序で付しても良い。第２の実施形態では、これらの数値の高い順に順位を付すこととする。また、キャリアホールは順位付けから除外することとする。より具体的には、上記テーブルは、例えば、図２８に示すように、第１順位が６４ＱＡＭ、第２順位が１６ＱＡＭ、第３順位がＱＰＳＫ、そして第４順位がＢＰＳＫとする構成を採る。そして、フレームの送信元に対してフレームを送信する場合、上記テーブルを検索して記憶されている変調パラメータの順位を特定し、記憶されている変調パラメータよりもＮ（Ｎは自然数）以上順位が低い変調パラメータを上記テーブルから抽出し、抽出した変調パラメータを使用して、送信データの符号化または各サブキャリアの変調の少なくとも一方を行なう。【００７３】
図５は、第２の実施形態に係る無線通信装置の概略構成を示す図である。この無線通信装置では、変調制御回路１０が上記テーブルを有しているものとする。そして、変調制御回路１０は、変調パラメータ記憶回路９に記憶されている変調パラメータよりもＮ（Ｎは自然数）順位が低い変調パラメータを使用する。また、この低下させた順位数Ｎを送信先へ通知するために、図２２に示すような「低下順位数Ｎサブフレーム」を送信フレームに挿入するための順位数Ｎ挿入回路１５Ａを設けている。その他の構成は、第１の実施形態に係る無線通信装置と同様である。なお、「低下順位数Ｎサブフレーム」には、送信時に使用された変調パラメータのテーブルにおける順位を示す情報、または移動した順位数Ｎ（Ｎは自然数）を示す情報を含めることができる。【００７４】
図５において、変調制御回路１０は、順位数Ｎ挿入回路１５Ａに対して、変調パラメータ記憶回路９に記憶されている変調パラメータの順位よりもＮ低い順位を示す信号、すなわち、低下順位数Ｎ（Ｓ８）を順位数Ｎ挿入回路１５Ａに入力する。順位数Ｎ挿入回路１５Ａは、図２２に示す低下順位数Ｎサブフレームを送信フレームに挿入する。なお、予めシステムで順位数Ｎを取り決めておけば、順位数Ｎ挿入回路１５Ａは不要となり、第１の実施形態と同様の構成となる。【００７５】
図５に示す無線通信装置では、自局宛のフレームを受信した場合、変調パラメータ記憶回路９においてそのフレームの各サブキャリアの変調パラメータを記憶しておき、その後、上記フレームの送信元に対してフレームを送信する場合は、変調制御回路１０は、変調パラメータ記憶回路９に記憶されている各サブキャリアの変調パラメータの上記テーブルにおける順位を特定する。そして、その順位よりも自然数Ｎ以上順位の低い変調パラメータを各サブキャリアの変調パラメータとして上記テーブルから選択する。例えば、記憶されている変調パラメータが第１順位の６４ＱＡＭで、順位を１下げるとした場合、使用する変調パラメータは第２順位の１６ＱＡＭとなる。ここで、選択すべき変調パラメータがない、すなわち、記憶しておいた変調パラメータよりもＮ以上順位の低い変調パラメータがない場合は、当該サブキャリアをキャリアホールとする。上記のテーブルの例に当てはめると、記憶しておいた変調パラメータが最低順位（第４位）のＢＰＳＫである場合は、それ以上順位の低い変調パラメータは存在しないため、キャリアホールとする。【００７６】
また、ここで、変調パラメータ記憶回路９において記憶しておいた変調パラメータがキャリアホールではなく、かつ選択すべき変調パラメータがない、すなわち、記憶しておいた変調パラメータよりもＮ以上順位の低い変調パラメータがない場合は、当該サブキャリアでは最も順位の低い変調パラメータを選択してもよい。また、変調パラメータ記憶回路９において記憶しておいた変調パラメータがキャリアホールの場合は、当該サブキャリアはキャリアホールとする。このようにして決めた変調パラメータを各サブキャリアの変調パラメータとして使用する。【００７７】
変調制御回路１０は、上記のように決定した結果に基づいて、送信フレーム変調パラメータ制御信号Ｓ７を生成し、符号化回路１１およびサブキャリア適応変調回路１２に入力する。【００７８】
なお、上記の自然数Ｎは、すべてのサブキャリアにおいて「１」であっても良いし、その他の自然数であっても良い。また、この自然数Ｎは、伝搬路状態の変動速度、受信フレームから送信フレームまでの間隔、受信フレームの誤り率、送信すべきデータ長と、各サブキャリアとその変調パラメータにより求められる１ＯＦＤＭシンボルあたりの伝送可能ビット数などから決定しても良い。【００７９】
図６は、受信フレームの誤り率から自然数Ｎを決定する機能を有する無線通信装置の概略構成を示す図である。この構成では、フレーム誤り率に関する情報Ｓ９は、上位層（ＭＡＣ）から入力され、誤り率を判定する誤り率判定回路１５ＢにおいてＮを決定する。誤り率判定回路１５Ｂの判定結果は、低下順位数指示信号Ｓ１０として変調制御回路１０に入力される。なお、フレーム誤り率を上位層ではなく、受信データＳ２からこの階層で求めても良い。【００８０】
図７は、伝搬路状態の変動速度から自然数Ｎを決定する機能を有する無線通信装置の概略構成を示す図である。この構成では、ＦＦＴ回路３の出力信号のサブキャリア毎の受信信号から、伝搬路状態の変動速度を判定する伝搬路変動判定回路５ＡにおいてＮを決定する。伝搬路状態の変動速度の判定方法としては、例えば、２点（以上）の時刻におけるサブキャリア毎の受信電力を比較して、その変化量から判定する、などの方法がある。また、上記の自然数Ｎは、伝搬路状態の変動の速さが大きい場合はＮを大きく、伝搬路状態の変動の速さが小さい場合はＮを小さくするようにしてもよい。このように、伝搬路状態の変動の速さを検出し、検出された速さが大きい場合は、Ｎ（Ｎは自然数）を大きくすることによって、周波数選択性フェージングの影響を軽減することができると共に、高効率な通信を行なうことが可能となる。一方、検出された伝搬路変動の速さが小さい場合は、Ｎ（Ｎは自然数）を小さくすることによって、伝搬路変動に対する耐性を向上させると共に、誤り率を低減化させることが可能となる。【００８１】
図８は、第２の実施形態に係る無線通信システムのアクセスポイントの概略構成を示す図である。このアクセスポイントは、上記の端末装置（無線通信装置）から、図２２に示す構成を有するフレームを受信したときに、そのフレームから低下順位数Ｎサブフレームを分離する順位数Ｎ分離回路２５Ａを備えている。順位数Ｎ分離回路２５Ａは、分離した低下順位数Ｎ（Ｓ８）を復調制御回路２６へ入力する。【００８２】
復調制御回路２６は、上記無線通信装置と同様に、図２８に示すようなテーブルを備えている。このテーブルにおける順位は、同一の伝搬路状態において送信データに対する誤りデータの比率を示す誤り率、同一の前記誤り率を得るために必要とされる搬送波対雑音電力比、若しくは情報伝送速度、またはこれらの組み合わせで求められる数値の高い順序で付されている。また、キャリアホールは順位付けから除外することとする。より具体的には、上記テーブルは、例えば、第１順位が６４ＱＡＭ、第２順位が１６ＱＡＭ、第３順位がＱＰＳＫ、そして第４順位がＢＰＳＫとする構成を採る。復調制御回路２６は、上記フレームの送信元である無線通信装置に対してフレームを送信した際に使用した送信フレーム変調パラメータＳ１５を変調パラメータ記憶回路２８から読み出し、この変調パラメータの順位を特定する。そして、入力された低下順位数Ｎ（Ｓ８）に基づいて、変調パラメータ記憶回路２８から読み出した変調パラメータの順位よりもＮ低下させた順位である変調パラメータを上記テーブルから抽出し、この変調パラメータに基づいて復調するように指示する受信フレーム変調パラメータ制御信号Ｓ４を、サブキャリア適応復調回路２４または復号回路２７の少なくとも一方に入力する。サブキャリア適応復調回路２４は、受信フレーム変調パラメータ制御信号Ｓ４に基づく変調方式に対応して、サブキャリア毎の信号に変換された受信信号を復調する。【００８３】
上記の伝搬路変動判定回路５Ａは検出部を構成し、順位数Ｎ分離回路２５Ａは順位検出部を構成する。【００８４】
次に、以上のように構成された無線通信システムの動作の概要について、図９を参照して説明する。ここでは、低下順位数Ｎは、「１」とする。まず、アクセスポイントは、送信フレーム変調パラメータを変調情報サブフレームに挿入して、符号化および各サブキャリアの変調を行ない、図２４に示すような変調情報サブフレームを有するフレームを端末装置（無線通信装置）へ送信する（ステップＢ１）。このとき使用した変調パラメータを記憶しておく。また、アクセスポイント側における送信信号電力スペクトルと変調パラメータは、例えば、図１３に示すようなものとなる。次に、端末装置では、受信信号電力スペクトルは、例えば、図１４に示すようなものとなる。端末装置では、受信したフレームから変調パラメータを分離して記憶する（ステップＢ２）。アクセスポイントに対してフレームを送信する場合、記憶した変調パラメータよりも上記テーブルにおける順位がＮ低いパラメータをテーブルから抽出し、その変調パラメータを使用して、符号化および各サブキャリアの変調を行なう（ステップＢ３）。ここで、端末装置が使用する変調パラメータは、図１６に示すように、図１３においてアクセスポイントが送信した変調パラメータに対して、順位が１つ低い変調パラメータが使用されている。【００８５】
ここで、図１３において、最低順位であるＢＰＳＫよりも順位が１つ低い変調パラメータは存在しないため、図１６に示すように、そのサブキャリアについてはキャリアホールとしている。また、このように最低順位であるＢＰＳＫよりも順位が１つ低い変調パラメータは存在しない場合には、図１７に示すように、最低順位の変調パラメータ、すなわち、ＢＰＳＫを用いても良い。そして、変調情報サブフレームを有しないフレームをアクセスポイントに対して送信する（ステップＢ４）。アクセスポイントでは、端末装置から受信したフレームから低下順位数Ｎを読み出して、送信時に使用した変調パラメータよりも上記テーブルにおける順位がＮ低い変調パラメータを抽出し、受信したフレームを復調および復号化する（ステップＢ５）。【００８６】
以上説明したように、第２の実施形態に係る無線通信システムによれば、無線通信装置の変調パラメータ記憶回路９において記憶されている変調パラメータよりもＮ（Ｎは自然数）以上順位が低い変調パラメータを使用するので、受信特性が良くなり、伝搬路状態の変動に対する耐性を向上させ、誤り率を低減させることが可能となる。また、変調パラメータ記憶回路９に記憶されている変調パラメータよりもＮ（Ｎは自然数）以上順位が低い変調パラメータが上記テーブルに存在しない場合は、当該サブキャリアをキャリアホールとしてもよい。これにより、当該サブキャリアでの誤りの発生を抑えることができる。【００８７】
さらに、変調パラメータ記憶回路９において記憶されている変調パラメータが当該サブキャリアをキャリアホールとするものではなく、かつその記憶されている変調パラメータよりもＮ（Ｎは自然数）以上順位が低い変調パラメータが上記テーブルに存在しない場合は、上記テーブルから最低順位の変調パラメータを抽出して使用する。これにより、受信特定のより良い変調パラメータを使用して、伝搬路状態の変動に対する耐性を向上させ、誤り率を低減させることが可能となる。また、変調パラメータ記憶回路９において記憶されている変調パラメータが当該サブキャリアをキャリアホールとするものである場合は、その記憶されている変調パラメータを使用する。これにより、当該サブキャリアでの誤りの発生を抑えることができる。その結果、処理の簡略化、処理速度の向上および消費電力の低減化を図ることが可能となる。【００８８】
（第３の実施形態）
第３の実施形態に係る無線通信システムの無線通信装置は、第２の実施形態に係る無線通信装置と同様に、複数の変調パラメータに対して順位を付したテーブルを備える。このテーブルにおける順位は、第２の実施形態と同様に、同一の伝搬路状態において送信データに対する誤りデータの比率を示す誤り率、同一の前記誤り率を得るために必要とされる搬送波対雑音電力比、若しくは情報伝送速度、またはこれらの組み合わせで求められる数値の高い順序で付すこととする。また、キャリアホールは順位付けから除外することとする。より具体的には、上記テーブルは、例えば、図２８に示すように、第１順位が６４ＱＡＭ、第２順位が１６ＱＡＭ、第３順位がＱＰＳＫ、そして第４順位がＢＰＳＫとする構成を採る。そして、フレームの送信元（アクセスポイント）に対してフレームを送信する場合、上記テーブルから単一の変調パラメータを抽出して使用する。また、上記テーブルを検索して、受信したフレームから取り出して記憶した変調パラメータの順位を特定し、記憶されている変調パラメータの順位が上記単一の変調パラメータの順位よりも低い場合は、当該サブキャリアをキャリアホールとする。【００８９】
図１０は、第３の実施形態に係る無線通信装置の概略構成を示す図である。この無線通信装置では、変調制御回路１０が上記テーブルを有しているものとする。そして、変調制御回路１０は、上記テーブルから単一の変調パラメータを抽出する。この抽出した単一の変調パラメータを通知するために、図２３に示すような「単一変調パラメータサブフレーム」を送信フレームに挿入するための単一変調パラメータ挿入回路１５Ｃを設けている。その他の構成は、第１の実施形態に係る無線通信装置と同様である。【００９０】
図１０に示す無線通信装置では、自局宛のフレームを受信した場合、変調パラメータ記憶回路９においてそのフレームの各サブキャリアの変調パラメータを記憶しておき、その後、上記フレームの送信元に対してフレームを送信する場合は、変調制御回路１０は、上記テーブルから単一の変調パラメータを選択する。また、変調パラメータ記憶回路９に記憶されている変調パラメータの上記テーブルにおける順位を特定する。そして、単一の変調パラメータの順位よりも変調パラメータ記憶回路９に記憶されている変調パラメータの順位が低い場合は、当該サブキャリアをキャリアホールとする。【００９１】
また、ここで、変調パラメータ記憶回路９において記憶しておいた変調パラメータがキャリアホールではなく、かつ、その記憶されている変調パラメータの順位が単一の変調パラメータの順位よりも低い場合は、当該サブキャリアについてのみ変調パラメータ記憶回路９に記憶されている変調パラメータを使用し、変調パラメータ記憶回路９に記憶されている変調パラメータが当該サブキャリアをキャリアホールとする場合は、キャリアホールとする。このようにして決めた変調パラメータを各サブキャリアの変調パラメータとして使用する。【００９２】
変調制御回路１０は、上記のように決定した結果に基づいて、送信フレーム変調パラメータ制御信号Ｓ７を生成し、符号化回路１１およびサブキャリア適応変調回路１２に入力する。また、上記のように抽出した単一の変調パラメータを示す情報である単一変調パラメータＳ１０を単一変調パラメータ挿入回路１５Ｃに入力する。なお、予めシステムで単一の変調パラメータを取り決めておけば、単一変調パラメータ挿入回路１５Ｃは不要となり、第１の実施形態に係る無線通信装置と同様の構成となる。【００９３】
図１１は、第３の実施形態に係る無線通信システムのアクセスポイントの概略構成を示す図である。このアクセスポイントは、上記の端末装置（無線通信装置）から、図２３に示す構成を有するフレームを受信したときに、そのフレームから単一変調パラメータサブフレームを分離する単一変調パラメータ分離回路２５Ｂを備えている。単一変調パラメータ分離回路２５Ｂは、分離した単一変調パラメータＳ１０を復調制御回路２６へ入力する。【００９４】
復調制御回路２６は、単一変調パラメータＳ１０に基づいて復調するように指示する受信フレーム変調パラメータ制御信号Ｓ４を、サブキャリア適応復調回路２４または復号回路２７の少なくとも一方に入力する。サブキャリア適応復調回路２４は、受信フレーム変調パラメータ制御信号Ｓ４に基づく変調方式に対応して、サブキャリア毎の信号に変換された受信信号を復調する。【００９５】
上記の単一変調パラメータ分離回路２５Ｂは順位検出部を構成する。【００９６】
次に、以上のように構成された無線通信システムの動作の概要について、図１２を参照して説明する。ここでは、低下順位数Ｎは、「１」とする。まず、アクセスポイントは、送信フレーム変調パラメータを変調情報サブフレームに挿入して、符号化および各サブキャリアの変調を行ない、図２４に示すような変調情報サブフレームを有するフレームを端末装置（無線通信装置）へ送信する（ステップＣ１）。アクセスポイントは、このとき使用した変調パラメータを記憶しておく。また、アクセスポイント側における送信信号電力スペクトルと変調パラメータは、例えば、図１３に示すようなものとなる。次に、端末装置では、受信信号電力スペクトルは、例えば、図１４に示すようなものとなる。端末装置では、受信したフレームから変調パラメータを分離して記憶する（ステップＣ２）。アクセスポイントに対してフレームを送信する場合、上記テーブルから単一の変調パラメータを抽出し、その単一の変調パラメータを使用して、符号化および各サブキャリアの変調を行なう（ステップＣ３）。ここで、端末装置が使用する変調パラメータは、図１８に示すように、単一の変調パラメータ、具体的には、ＱＰＳＫが使用されている。ここでは、図１３において、送信時にＢＰＳＫが使用されたサブキャリアについては、ＢＰＳＫの順位（第４順位）が選択された単一の変調パラメータであるＱＰＳＫの順位（第３順位）よりも低いため、図１８において、当該サブキャリアをキャリアホールとしている。また、図１３において、送信時にＢＰＳＫが使用されたサブキャリアについては、図１９に示すように、記憶しておいた変調パラメータであるＢＰＳＫを使用するようにしても良い。【００９７】
さらに、図２０に示すように、単一の変調パラメータが第２順位の１６ＱＡＭである場合であって、変調パラメータ記憶回路９において記憶しておいた変調パラメータがキャリアホールではなく、かつ、その記憶されている変調パラメータの順位が単一の変調パラメータ（１６ＱＡＭ）の順位（第２順位）よりも低い場合、すなわち、第３順位のＱＰＳＫ、第４順位のＢＰＳＫである場合は、当該サブキャリアについてのみそれらの変調パラメータを使用し、変調パラメータ記憶回路９に記憶されている変調パラメータが当該サブキャリアをキャリアホールとする場合は、キャリアホールとするようにしてもよい。【００９８】
そして、単一変調情報サブフレームを有し、変調情報サブフレームを有しないフレームをアクセスポイントに対して送信する（ステップＣ４）。アクセスポイントでは、端末装置から受信したフレームから単一変調パラメータを読み出して、受信したフレームを復調および復号化する（ステップＣ５）。【００９９】
以上説明したように、第３の実施形態に係る無線通信装置では、送信フレームの変調パラメータとして単一の変調パラメータを使用するので、送信データに対する符号化に関する処理、サブキャリア適応変調に関する処理、およびこれらに関する制御を行なう必要がなくなり、回路構成を簡略化させることが可能となる。また、例えば、変調パラメータの順位が、同一の伝搬路状態において送信データに対する誤りデータの比率を示す誤り率の高い順序、同一の前記誤り率を得るために必要とされる搬送波対雑音電力比の高い順序、または情報伝送速度の大きい順序で付されている場合に、記憶されている変調パラメータの順位が、単一の変調パラメータの順位よりも低い場合は、当該サブキャリアをキャリアホールとすることができるので、それらのサブキャリアでの誤りの発生を抑えることができる。その結果、処理の簡略化、処理速度の向上および消費電力の低減化を図ることが可能となる。【０１００】
さらに、記憶されている変調パラメータの順位が、単一の変調パラメータの順位よりも低い場合は、当該サブキャリアについてのみ記憶されている変調パラメータを抽出して使用するので、受信特性が良くなり、伝搬路状態の変動に対する耐性を向上させ、誤り率を低減させることが可能となる。さらに、記憶されている変調パラメータが当該サブキャリアをキャリアホールとする場合は、記憶されている変調パラメータを使用することにより、当該サブキャリアをキャリアホールとすることができるので、それらのサブキャリアでの誤りの発生を抑えることができる。その結果、処理の簡略化、処理速度の向上および消費電力の低減化を図ることが可能となる。【０１０１】
なお、以上の実施形態の他、無線通信装置として、フレームの送信元（アクセスポイント）に対してフレームを送信する場合、上記テーブルから最低順位の変調パラメータを抽出して使用すると共に、記憶されている変調パラメータが当該サブキャリアをキャリアホールとする場合は、記憶部に記憶されている変調パラメータを使用するようにしてもよい。これにより、伝搬路状態の変動に対する耐性を向上させ、誤り率の低減化を図ることが可能となる。また、記憶されている変調パラメータが当該サブキャリアをキャリアホールとする場合は、記憶されている変調パラメータを使用することにより、当該サブキャリアをキャリアホールとすることができるので、それらのサブキャリアでの誤りの発生を抑えることができる。その結果、処理の簡略化、処理速度の向上および消費電力の低減化を図ることが可能となる。
【図面の簡単な説明】
【０１０２】
【図１】無線通信装置の概略構成を示すブロック図である。
【図２】無線通信装置の概略構成を示すブロック図である。
【図３】アクセスポイントの概略構成を示すブロック図である。
【図４】アクセスポイントと端末装置（無線通信装置）の動作を示すシーケンスチャートである。
【図５】無線通信装置の概略構成を示すブロック図である。
【図６】無線通信装置の概略構成を示すブロック図である。
【図７】無線通信装置の概略構成を示すブロック図である。
【図８】アクセスポイントの概略構成を示すブロック図である。
【図９】アクセスポイントと端末装置（無線通信装置）の動作を示すシーケンスチャートである。
【図１０】無線通信装置の概略構成を示すブロック図である。
【図１１】アクセスポイントの概略構成を示すブロック図である。
【図１２】アクセスポイントと端末装置（無線通信装置）の動作を示すシーケンスチャートである。
【図１３】送信信号電力スペクトルと変調パラメータの例を示す図である。
【図１４】受信信号電力スペクトルと変調パラメータの例を示す図である。
【図１５】送信信号電力スペクトルと変調パラメータの例を示す図である。
【図１６】送信信号電力スペクトルと変調パラメータの例を示す図である。
【図１７】送信信号電力スペクトルと変調パラメータの例を示す図である。
【図１８】送信信号電力スペクトルと変調パラメータの例を示す図である。
【図１９】送信信号電力スペクトルと変調パラメータの例を示す図である。
【図２０】送信信号電力スペクトルと変調パラメータの例を示す図である。
【図２１】フレームフォーマットの例を示す図である。
【図２２】フレームフォーマットの例を示す図である。
【図２３】フレームフォーマットの例を示す図である。
【図２４】フレームフォーマットの例を示す図である。
【図２５】従来の無線通信装置の概略構成を示すブロック図である。
【図２６】送信信号電力スペクトルと変調パラメータの例を示す図である。
【図２７】受信信号電力スペクトルと変調パラメータの例を示す図である。
【図２８】テーブルの構成例を示す図である。
【符号の説明】
【０１０３】
４  サブキャリア適応復調回路
５Ａ  伝搬路変動判定回路
６  復調制御回路
７  復号回路
８  変調情報分離回路
９  変調パラメータ記憶回路
１０  変調制御回路
１１  符号化回路
１２  サブキャリア適応変調回路
１５Ａ  順位数Ｎ挿入回路
１５Ｂ  誤り率判定回路
１５Ｃ  単一変調パラメータ挿入回路
１６  Ｄ／Ａ変換回路
１７  判定部
２４  サブキャリア適応復調回路
２５Ａ  順位数Ｎ分離回路
２５Ｂ  単一変調パラメータ分離回路
２６  復調制御回路
２７  復号回路
２８  変調パラメータ記憶回路
２９  変調制御回路
３０  変調情報挿入回路
３１  符号化回路
３２  サブキャリア適応変調回路
【図１】
0004423293.tif 000002
【図２】
0004423293.tif 000003
【図３】
0004423293.tif 000004
【図４】
0004423293.tif 000005
【図５】
0004423293.tif 000006
【図６】
0004423293.tif 000007
【図７】
0004423293.tif 000008
【図８】
0004423293.tif 000009
【図９】
0004423293.tif 000010
【図１０】
0004423293.tif 000011
【図１１】
0004423293.tif 000012
【図１２】
0004423293.tif 000013
【図１３】
0004423293.tif 000014
【図１４】
0004423293.tif 000015
【図１５】
0004423293.tif 000016
【図１６】
0004423293.tif 000017
【図１７】
0004423293.tif 000018
【図１８】
0004423293.tif 000019
【図１９】
0004423293.tif 000020
【図２０】
0004423293.tif 000021
【図２１】
0004423293.tif 000022
【図２２】
0004423293.tif 000023
【図２３】
0004423293.tif 000024
【図２４】
0004423293.tif 000025
【図２５】
0004423293.tif 000026
【図２６】
0004423293.tif 000027
【図２７】
0004423293.tif 000028
【図２８】
0004423293.tif 000029